(57)【要約】【課題】介護者又は看護者等が在床者の状態を、視線の移動が少なく、素早く確認可能とする。【解決手段】在床者の状態を表示する表示処理装置であって、在床者の現在の状態を示すオブジェクトを、在床者の現在の状態に対応する色で表示画面に表示し、在床者の過去の状態を示すマーカを、過去の状態に対応する色で、現在の状態を示すオブジェクトに重ねて表示する。これにより、一つのオブジェクトを見るだけで、一目で、在床者の現在の状態と過去の状態の両方を認識することができるため、少ない視線の移動で素早く在床者の状態を確認することができる。また、在床者の現在の状態をオブジェクトの色で示し、在床者の過去の状態をマーカの色で示しているため、在床者の現在の状態及び過去の状態の両方を、直感的に認識可能とすることができる。【選択図】図９
2019159581.tif 000002
【特許請求の範囲】
【請求項１】
在床者の状態を表示する表示処理装置であって、
前記在床者の現在の状態を示すオブジェクトを、前記在床者の現在の状態に対応する色で表示画面に表示し、
前記在床者の過去の状態を示すマーカを、前記過去の状態に対応する色で、前記現在の状態を示すオブジェクトに重ねて表示する
表示処理装置。
【請求項２】
前記オブジェクトに表示される前記在床者の氏名の直下に、前記在床者の氏名の文字配列方向に沿って前記マーカを表示すること
を特徴とする請求項１に記載の表示処理装置。
【請求項３】
前記オブジェクトの左右方向の長さは上下方向よりも長く、
前記オブジェクトの左右の位置のうち、少なくとも一方の位置の上の位置又は下の位置に前記マーカを表示し、又は、前記オブジェクトの上下の位置のうち、少なくとも一方の位置の左の位置又は右の位置に前記マーカを表示すること
を特徴とする請求項１又は請求項２に記載の表示処理装置。
【請求項４】
前記オブジェクトの色と同じ色の前記マーカを表示する場合、前記オブジェクトの色に対して目立つ色の縁取りをしたマーカを表示すること
を特徴とする請求項１から請求項３のうち、いずれか一項に記載の表示処理装置。
【請求項５】
複数の前記在床者の各オブジェクトを一覧表示する一覧表示機能を有し、
前記一覧表示では、前記表示画面の上下及び左右に複数ずつ、複数の前記在床者のオブジェクトを表示し、前記表示画面の上下間の距離よりも左右間の距離の方が長い状態で前記オブジェクトの表示を行う場合、複数の前記オブジェクトを前記表示画面の左右間に偶数列に表示すること
を特徴とする請求項１から請求項４のうち、いずれか一項に記載の表示処理装置。
【請求項６】
前記在床者の詳細情報を表示する詳細表示機能を有し、
前記詳細表示では、在床者を特定する在床者特定情報、現在及び所定期間における前記在床者の状態情報を、表示部の左半分の上側の表示領域である第１の表示領域に表示し、前記所定期間よりも長い第２期間における前記在床者の生体情報を、前記表示部の右半分の表示領域である生体情報表示領域に表示すること
を特徴とする請求項１から請求項５のうち、いずれか一項に記載の表示処理装置。
【請求項７】
前記詳細表示では、前記第１の表示領域に対して、オブジェクト上に表示するアイコンと同じ表示形態のアイコンを表示すること
を特徴とする請求項６に記載の表示処理装置。
【請求項８】
前記詳細表示では、左右方向にそれぞれ同じ幅とした前記第１の表示領域及び前記生体情報表示領域を前記表示画面に表示し、
前記表示画面の上下間の距離よりも左右間の距離の方が長い状態で表示する際、前記第１の表示領域及び前記生体情報表示領域を左右に並べて表示し、
前記表示画面の上下間の距離が左右間の距離よりも長い状態で表示する際、前記第１の表示領域の下に続けて前記生体情報表示領域を表示すること
を特徴とする請求項６又は請求項７に記載の表示処理装置。
【請求項９】
前記詳細表示では、確認頻度が高い情報を前記第１の表示領域の上側に表示すること
を特徴とする請求項６から請求項８のうち、いずれか一項に記載の表示処理装置。
【請求項１０】
第一の在床者に関する前記詳細表示を表示中に、第二の在床者の状態が警告となった場合、前記詳細情報の表示を終了して前記第二の在床者のオブジェクトを点滅表示すること
を特徴とする請求項６から請求項９のうち、いずれか一項に記載の表示処理装置。
【請求項１１】
前記詳細情報を終了すると、複数の前記在床者の各オブジェクトを一覧表示すること
を特徴とする請求項６から請求項１０のうち、いずれか一項に記載の表示処理装置。
【請求項１２】
在床者の状態を表示する表示処理方法であって、
前記在床者の現在の状態を示すオブジェクトを、前記現在の状態に対応する色で表示画面に表示するオブジェクト表示ステップと、
前記在床者の過去の状態を示すマーカを、前記過去の状態に対応する色で、前記現在の状態を示すオブジェクトに重ねて表示するマーカ表示ステップと、
を有する表示処理方法。
【請求項１３】
コンピュータに在床者の状態を表示する表示処理を実行させるプログラムであって、
前記在床者の現在の状態を示すオブジェクトを、前記在床者の現在の状態に対応する色で表示画面に表示するオブジェクト表示ステップと、
前記在床者の過去の状態を示すマーカを、前記過去の状態に対応する色で、前記現在の状態を示すオブジェクトに重ねて表示するマーカ表示ステップと、
を有する表示処理プログラム。
【発明の詳細な説明】
【技術分野】
【０００１】
本発明は、表示処理装置、表示処理方法、及び表示処理プログラムに関する。
【背景技術】
【０００２】
特許文献１（特開２００８−２８９６７６号公報）において、患者の状態を正確に把握可能な患者異常通知システムが開示されている。この患者異常通知システムの場合、初期画面で患者の部屋番号の一覧を表示する。操作者により、希望する部屋番号の表示領域が操作されると、その部屋で治療を受けている患者の氏名及び識別番号を表示する。さらに、操作者により、希望する患者の氏名等の表示領域が操作されると、その患者の詳細情報を表示する。
【０００３】
患者の詳細情報としては、患者の現在の姿勢（状態）と共に、生体情報（バイタルサイン）又はカメラ画像が表示される。患者の現在の姿勢としては、立位、座位及び歩行中等の起床中の姿勢の他、背臥位、腹臥位、右臥位及び左臥位等の就寝中の姿勢が表示される。カメラ画像としては、病室内の患者を撮像した画像が、生体情報としては、患者の血圧、脈拍及び体温等が表示される。
【発明の概要】
【発明が解決しようとする課題】
【０００４】
しかし、特許文献１に開示されている患者異常通知システムは、初期画面では患者の部屋番号及び識別番号等が表示されるだけであるため、情報量が少なく、初期画面に基づいて患者の状態を知る、という観点で改善の余地がある。
【０００５】
また、例えば介護施設又は病院等では、介護者又は看護者が所定時間勤務した後、後任となる介護者又は看護者に患者の様子等を伝達して業務の引き継ぎを行う。この業務の引き継ぎには、後任となる介護者又は看護者に、現在の患者の状態を示す情報を見せながら説明が行われることもある。しかし、特許文献１に開示されている患者異常通知システムは、複数回の操作を経て段階的かつ患者毎に、患者の状態を示す情報が表示されるため、患者の状態を示す情報が表示されるまでに時間を要しており、業務の引き継ぎのための説明を必要とする患者が多数存在する場合、説明が長時間化することが懸念される。すなわち、短時間で業務の引き継ぎを行う、という観点で改善の余地がある。
【０００６】
さらに、特許文献１に開示されている患者異常通知システムは、上述のように初期画面で表示される情報量が少なく、また、複数回の操作を経て表示される患者の状態を示す情報は、患者毎に別々に表示される。このため、業務の引き継ぎ中において、各患者の状態の変化を認識する、という観点で改善の余地がある。
【０００７】
患者や在床者（在床者については後述）の状態を監視するシステムにおいては、上述の看護の引き継ぎを迅速に行い、また、業務の引き継ぎ中においても、各患者（在床者）の状態の認識を素早く行うためにも、各患者の状態を、視線の移動が少なく、素早く確認可能であることが好ましい。
【０００８】
本発明は、上述の課題に鑑みてなされたものであり、介護者又は看護者等が在床者の状態を、視線の移動が少なく、素早く確認可能な表示処理装置、表示処理方法、及び表示処理プログラムの提供を目的とする。
【課題を解決するための手段】
【０００９】
上述した課題を解決し、目的を達成するために、本発明は、在床者の状態を表示する表示処理装置であって、在床者の現在の状態を示すオブジェクトを、在床者の現在の状態に対応する色で表示画面に表示し、在床者の過去の状態を示すマーカを、過去の状態に対応する色で、現在の状態を示すオブジェクトに重ねて表示する。
【発明の効果】
【００１０】
本発明によれば、介護者又は看護者等が在床者の状態を、視線の移動が少なく、素早く確認できるという効果を奏する。
【図面の簡単な説明】
【００１１】
【図１】図１は、実施の形態の表示システムのシステム構成図である。
【図２】図２は、実施の形態の表示システムの他の例のシステム構成図である。
【図３】図３は、実施の形態の表示システムに設けられている演算装置のブロック図である。
【図４】図４は、演算装置のＣＰＵが表示制御プログラムを実行することで実現される各機能の機能ブロック図である。
【図５】図５は、演算装置のＨＤＤに記憶されている各種情報を説明するための図である。
【図６】図６は、実施の形態の表示システムにおける在床者の状態の一覧画面及び詳細情報の表示動作の流れを示すフローチャートである。
【図７】図７は、在床者の一覧画面の表示例を示す図である。
【図８】図８は、一覧画面に表示されるアイコンを示す図である。
【図９】図９は、各在床者のオブジェクトに表示される、在床者の過去の状態を示すマーカを説明するための図である。
【図１０】図１０は、オブジェクト上に表示するマーカの、いくつかの表示位置を説明するための図である。
【図１１】図１１は、オブジェクト上に表示するマーカの外周部の色を、オブジェクトの背景色に対して目立つ色とした例を説明するための図である。
【図１２】図１２は、「緊急度順」の表示形態の一覧画面を示す図である。
【図１３】図１３は、縦画面に対して一覧画面を表示した状態を示す図である。
【図１４】図１４は、詳細情報の表示画面を示す図である。
【図１５】図１５は、詳細情報の表示画面の他の例を示す図である。
【図１６】図１６は、詳細情報の表示画面のさらに他の例を示す図である。
【図１７】図１７は、縦画面に対して詳細情報を表示した状態を示す図である。
【図１８】図１８は、縦画面に対して表示された詳細情報の他の表示例を示す図である。
【図１９】図１９は、詳細情報の表示画面におけるアイコンの表示形態の他の例を説明するための図である。
【発明を実施するための形態】
【００１２】
以下、一例として説明する表示システムに基づいて、表示処理装置、表示処理方法、及び表示処理プログラムの説明をする。
【００１３】
（表示システムの構成）
図１は、実施の形態の表示システムのシステム構成図である。この図１に示すように、実施の形態の表示システムは、演算装置１、センサ２及び表示装置３を有している。センサ２は、例えば在床者が就寝しているベッドの４つの足に取り付けられた各検出素子で検出される各荷重検出出力に基づいて、在床者の現在の状態（例えば、ベッド上の在床者の位置及び姿勢等）を検出し、この状態情報（図５の符号４１）を演算装置１に送信する。本明細書においては、看護されている患者、老人等の見守りが必要な者、及び監視を必要とする者等を総称して、「在床者」と表現する。
【００１４】
なお、この例では、センサ２側でベッド上の在床者の位置及び姿勢を検出することとしたが、各検出素子で検出された各荷重検出出力を演算装置１に送信し、演算装置１側で、各荷重検出出力を用いてベッド上の在床者の位置及び姿勢等を示す状態情報を算出してもよい。
【００１５】
また、以下、センサ２で検出された荷重検出出力に基づいて、ベッド上の在床者の位置及び姿勢を検出することとして説明を進めるが、図２に示すように在床者の部屋を、撮像装置４で撮像して、この撮像画像に基づいて、撮像装置４側又は演算装置１側で、在床者の位置及び姿勢等の在床者の現状を検出してもよい。
【００１６】
（演算装置のハードウェア構成）
図３に、演算装置１のハードウェア構成を示す。この図３に示すように、演算装置１は、ＣＰＵ（Central  Processing  Unit）１１、ＲＯＭ（Read  Only  Memory）１２、ＲＡＭ（Random  Access  Memory）１３、ＨＤＤ（Hard  Disk  Drive）１４、入出力インタフェース（入出力Ｉ／Ｆ）１５、通信部１６及びスピーカ部２０を、バスライン１７を介して相互に接続することで構成されている。
【００１７】
入出力Ｉ／Ｆ１５には、上述のセンサ２（又は撮像装置４）及び表示装置３の他、演算装置１の操作者が、入力操作を行うキーボード装置及びマウス装置等の操作部１８、及び、在床者の体温、血圧、脈拍及び呼吸数等の生体情報を検出するバイタルセンサ１９が接続されている。ＨＤＤ１４には、表示制御プログラムが記憶されている。詳しくは後述するが、ＣＰＵ１１は、ＨＤＤ１４に記憶されている表示制御プログラムを実行することで、各在床者の一覧情報及び詳細情報の表示制御等を行う。
【００１８】
（演算装置の表示制御プログラムに基づく機能）
図４に、ＣＰＵ１１が表示制御プログラムを実行することで実現される各機能の機能ブロック図を示す。この図４に示すように、ＣＰＵ１１は、表示制御プログラムを実行することで、取得部２５、生体情報取得部２６、記憶制御部２７、比較部２８、表示制御部２９、判別部３０、報知制御部３１及び操作検出部３２として機能する。
【００１９】
なお、この例では、取得部２５〜操作検出部３２をソフトウェアで実現することとしたが、取得部２５〜操作検出部３２のうち、一部又は全部を、ＩＣ（Integrated  Circuit）等のハードウェアで実現してもよい。
【００２０】
また、表示制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ（Digital  Versatile  Disk）、ブルーレイディスク（登録商標）、半導体メモリ等のコンピュータ装置で読み取り可能な記録媒体に記録して提供してもよい。また、表示制御プログラムは、インターネット等のネットワーク経由でインストールするかたちで提供してもよい。また、表示制御プログラムは、機器内のＲＯＭ等に予め組み込んで提供してもよい。
【００２１】
ＣＰＵ１１は、取得部２５として機能することで、図１に示すセンサ２で検出された在床者の現在の状態を示す現状検出信号を取得する。また、ＣＰＵ１１は、生体情報取得部２６として機能することで、バイタルセンサ１９から供給される生体情報を取得する。また、ＣＰＵ１１は、記憶制御部２７として機能することで、例えばＨＤＤ１４、ＲＡＭ１３等の記憶部に対して情報の書き込み及び読み出しを行う。
【００２２】
また、ＣＰＵ１１は、比較部２８として機能することで、前回取得した現状検出信号と今回取得した現状検出信号とを比較する。また、ＣＰＵ１１は、表示制御部２９として機能することで、表示装置３の表示画面に対して各在床者の一覧情報及び詳細情報等を表示制御する。また、ＣＰＵ１１は、判別部３０として機能することで、比較部２８からの、前回取得した現状検出信号と今回取得した現状検出信号との比較結果に基づいて、在床者の状態の変化を判別する。また、ＣＰＵ１１は、報知制御部３１として機能することで、在床者に緊急を要する場合に所定の報知制御を行う。さらに、ＣＰＵ１１は、操作検出部３２として機能することで、所望の在床者を指定して行う詳細情報の表示操作等の操作者の操作を検出する。
【００２３】
（記憶部に記憶されている各種情報）
図５は、ＨＤＤ１４又はＲＡＭ１３等の記憶部に記憶されている各種情報を示す図である。演算装置１は、記憶部に、上述の表示制御プログラムと共に、状態情報４１、生体情報４２、ユーザ情報４３、緊急度情報４４及び表示設定情報４５等が記憶される。状態情報４１は、所定の時間毎に取得部２５でセンサ２（又は撮像装置４）から取得される、在床者の現在の状態を示す情報である。時間軸に沿った状態情報４１の変化は、在床者の状態の変化を示すものとなる。
【００２４】
生体情報４２は、バイタルセンサ１９から取得した生体情報である。時間軸に沿った生体情報４２の変化は、在床者の容態の変化を示すものとなる。ユーザ情報は、各在床者の氏名及び識別番号（ＩＤ）等の個人情報である。緊急度情報４４は、判別部３０で判別される在床者の現在の状態に応じた緊急度（正常、注意、警告）を示す情報である。状態情報４１〜及び緊急度情報４４は、それぞれ在床者毎に関連付けされて記憶されている。表示設定情報４５は、例えば在床者の氏名の５０音順に一覧を表示し、又は、緊急度が高い順に在床者の一覧を表示する等のように、デフォルトで設定又は予め指定されて設定されている表示形態を示す情報である。
【００２５】
（各在床者の状態の一覧画面及び詳細情報の表示動作）
図６のフローチャートに、実施の形態の表示システムにおける在床者の状態の一覧画面及び詳細情報の表示動作の流れを示す。演算装置１のＣＰＵ１１が、ＨＤＤ１４に記憶されている表示制御プログラムに基づいて、ステップＳ１から順に各処理を実行する。ステップＳ１では、図４に示す取得部２５が、センサ２（又は撮像装置４）からの在床者の現状を示す状態情報４１を取得すると共に、生体情報取得部２６が、バイタルセンサ１９からの生体情報４２を取得する。
【００２６】
ステップＳ２では、記憶制御部２７が、取得部２５で取得された状態情報４１及び生体情報取得部２６で取得された生体情報４２を、ＨＤＤ１４等の記憶部に記憶制御する。ステップＳ３では、判別部３０が、状態情報４１に基づいて、各在床者のベッド上の位置及び姿勢等の、各在床者の現在の状態を判別する。表示制御部２９は、判別された各在床者の現在の状態に基づいて一覧画面を生成する。表示制御部２９は、生成された一覧画面を表示装置３の表示画面に表示制御する。
【００２７】
ここでは、在床者の状態として、在床者がベッドから落ちる可能性について、ベッドから落ちる可能性がない「正常」、ベッドから落ちる可能性がある「注意」、ベッドから落ちる可能性が高い「警告」という３段階で判別する。
【００２８】
図７に、各在床者の状態を同時に表示する一覧画面の表示例を示す。この図７に示すように、表示制御部２９は、各在床者の状態をオブジェクトとし、在床者の氏名、及び、在床者の位置（又は姿勢）を示す情報を表示する。更にオブジェクトにおいては、現在の状態及び過去の状態を示す情報が重ねて表示される。
【００２９】
図７の例は、表示制御部２９が、計２０人の各在床者のオブジェクトを５行４列の一覧画面で表示した例である。表示制御部２９は、各オブジェクトに対して、在床者の現在の状態をアイコン、及びオブジェクトの背景色で現在の状態を表示し、文字で指名及びＩＤを表示する。また、オブジェクト内に過去の状態、例えば１０分前の状態を表示する。
【００３０】
図８に、在床者の現在の状態に応じて用いられるアイコンの一例を示す。図８に示すように、在床者の体動がなく、在床者のベッド上の位置が中央の場合は、背景が白で、ベッドの中央に人間が寝ている絵柄で「安静」の文字が表示されたアイコンが用いられる。また、在床者がベッドから起き上がった状態である場合、背景が白で、ベッドから人間が起床している絵柄で「起き上がり」の文字が表示されたアイコンが用いられる。また、在床者がベッドに腰掛けている状態である場合、背景が白で、ベッドに人間が腰かけている絵柄で「端座位」の文字が表示されたアイコンが用いられる。
【００３１】
在床者の状態が「正常」の場合、上述のように「白」の背景が用いられるが、在床者の状態が「注意」の場合、「黄色（左斜線で示す）の背景が用いられる。すなわち、在床者の体動がなく安静にしている場合でも、在床者のベッド上の位置が左端の場合、背景が黄色で、ベッドの左端に人間が寝ている絵柄で「左端  安静」の文字が表示されたアイコンが用いられる。同様に、在床者の体動がなく安静にしている場合でも、在床者のベッド上の位置が右端の場合、背景が黄色で、ベッドの右端に人間が寝ている絵柄で「右端  安静」の文字が表示されたアイコンが用いられる。また、在床者のベッド上の位置が中央であっても体動がある場合、背景が黄色で、ベッドの中央に人間が体動ありで寝ている絵柄で「中央  体動あり」の文字が表示されたアイコンが用いられる。また、在床者がベッドから離れている場合（ベッドに寝ていない場合）、背景が白色で長方形の枠内に「離床」の文字が表示されたアイコンが用いられる。
【００３２】
次に、在床者の状態が「警告」の場合、「赤（黒の塗りつぶしで示す）」の背景が用いられる。すなわち、在床者のベッド上の位置が左端であり、且つ体動がある場合、背景が赤色で、ベッドの左端に人間が体動ありで寝ている絵柄で「左端  体動あり」の文字が表示されたアイコンが用いられる。同様に、在床者のベッド上の位置が右端であり、且つ体動がある場合、背景が赤色で、ベッドの右端に人間が体動ありで寝ている絵柄で「右端  体動あり」の文字が表示されたアイコンが用いられる。
【００３３】
なお、センサ２（又は撮像装置４）と演算装置１との通信が切断している場合、灰色（右斜線で示す）の背景が用いられ、コネクタが斜めに切断された絵柄で、「切断」の文字が表示されたアイコンが用いられる。また、在床者が例えば一時帰宅中のように、不在の場合、白の背景が用いられ、「不在」の文字のアイコンが用いられる。
【００３４】
図７の表示について、具体的に説明する。図７の左上の表示例は、ＩＤが「１０１−０１」で、氏名が「山田Ａ太朗」の在床者の表示例である。この「山田Ａ太朗」は、現在、体動がなくベッドの中央に位置しており、現在の状態は「正常」である。このため、表示制御部２９は、オブジェクトの背景として「白」を用い、ベッドの中央に人間が寝ている絵柄で「安静」の文字が表示されたアイコンを表示する。この表示を見た看護者は、「白」の背景により、現在の状態は「正常」であることを認識する。また、ベッドの中央に人間が寝ている絵柄で「安静」の文字が表示されたアイコンにより、在床者は、体動がなくベッドの中央に位置していることを認識する。
【００３５】
また、図７において、「山田Ａ太朗」の右隣の表示例は、ＩＤが「１０１−０２」で、氏名が「山田Ｂ太朗」の在床者の表示例である。この「山田Ｂ太朗」は、現在、体動がありベッドの中央に位置している状態であり、現在の状態は「注意」である。このため、表示制御部２９は、オブジェクトの背景として「黄色（左斜線）」を用い、ベッドの中央に人間が体動ありで寝ている絵柄で「中央  体動あり」の文字が表示されたアイコンを表示する。この表示を見た看護者は、「黄色」の背景により、現在の状態が「注意」であることを認識する。また、看護者は、ベッドの中央に人間が体動ありで寝ているアイコンにより、在床者がベッドから落ちる可能性があるので注意が必要であることを認識する。
【００３６】
また、図７において、「山田Ｂ太朗」の二つ右隣の表示例は、ＩＤが「１０１−０４」で、氏名が「山田Ｄ太朗」の在床者の表示例である。この「山田Ｄ太朗」の場合、通信が切断していて、センサ２（又は撮像装置４）からの状態情報４１が取得できない場合の表示例である。表示制御部４５は、取得部２５で状態情報４１が取得されない場合、灰色（右斜線で示す）の背景で、コネクタが斜めに切断された絵柄、かつ、「切断」の文字が表示されたアイコンを表示する。
【００３７】
また、図７において、「山田Ｂ太朗」の下の表示例は、ＩＤが「１０１−０６」の「海田Ｂ太朗」の表示例である。この「海田Ｂ太朗」の表示例は、「海田Ｂ太朗」が、現在、体動がありベッドの左端に位置している状態であり、ベッドから落ちる危険性がある場合の表示例である。この場合、「警告」を行う必要があるため、表示制御部２９は、オブジェクトの背景として赤色（図では黒の塗りつぶし）を用いることで看護者等の注意を喚起すると共に、ベッドの左端に人間が体動ありで寝ている絵柄で、「左端  体動あり」との文字が付されたアイコンを表示する。さらに、表示制御部２９は、図１に示すスピーカ部２０を介して所定の警告音又はメッセージを出力制御する。これにより看護者は、ベッドから落ちる危険性があることを認識し、「海田Ｂ太朗」の部屋に出向き、ベッドの右端から中央に就寝位置を戻す等のベッドからの落下を防止するための措置を行う。
【００３８】
（一覧画面の更新処理）
図６のフローチャートの説明に戻る。このような各在床者の現在の状態を示す一覧画面が表示されると、ステップＳ４に処理が進む。取得部２５は、各在床者のセンサ２（又は撮像装置４）からの状態情報４１及びバイタルセンサ１９からの生体情報４２を、所定時間置き又はランダムに取得する。ステップＳ４では、取得部２５が、新たな状態情報４１を取得したか否かを判別する。新たな状態情報４１が取得されない場合、ステップＳ１に処理が戻り、新たな状態情報４１（及び新たな生体情報４２）を取得する。
【００３９】
これに対して、新たな状態情報４１が取得された場合、ステップＳ５に処理が進む。ステップＳ５では、記憶制御部２７が、取得された新たな状態情報４１及び生体情報４２を記憶部に記憶制御する。なお、この際、記憶制御部２７は、過去の状態情報４１及び生体情報４２に続く新たな状態情報４１及び生体情報４２として記憶部に記憶制御する。
【００４０】
なお、過去の状態情報４１及び生体情報４２と、新たな状態情報４１及び生体情報４２とは、記憶部上の記憶位置が物理的に連続する必要はなく、過去の状態情報４１及び生体情報４２と、これに続く新たな状態情報４１及び生体情報４２であることを判別可能なように記憶すればよい。
【００４１】
また、各記憶部には、「現在の状態情報４１及び生体情報４２」及び一つ前の「現在の状態情報４１及び生体情報４２」を記憶すればよい。すなわち、記憶部に記憶する過去の情報は、所定の複数個を記憶してもよいが、少なくとも一つ前の情報だけ記憶すればよい。一つ前の情報だけ記憶する場合は、新たな情報が取得された際に、それまで一つ前の情報として記憶されていた情報に対して、新たな情報を上書きすればよい。これにより、記憶部には、在床者毎に新たな情報及び一つ前の情報の２つが常時記憶されることとなり、所定の複数の情報を記憶する場合に、記憶部の記憶領域が無駄に使用される不都合を防止できる。
【００４２】
このように記憶部に新旧の状態情報４１（及び生体情報４２）が記憶されると、ステップＳ５において、比較部２８が、新旧の状態情報４１を比較し、在床者の状態の変化を検出する。ステップＳ６では、比較部２８が、新旧の状態情報４１を比較することで、在床者の状態の変化の有無を判別する。在床者の状態が変化していた場合、ステップＳ７に処理が進み、在床者の状態が変化していない場合、以下に説明する表示更新処理を行うことなく、ステップＳ８に処理が進む。
【００４３】
ステップＳ７では、表示制御部２９が、状態に変化のあった在床者のオブジェクトの表示形態を変更制御する。具体的には、体動がなくベッドの中央に位置していた「山田Ａ太朗」が、体動がなくベッドの左端に位置するように変化した場合、「山田Ａ太朗」の状態は、「正常」から「注意」へと変化するため、表示制御部２９は、オブジェクトの背景を白色から黄色に変更すると共に、ベッドの中央に人間が寝ている絵柄のアイコンから、ベッドの左端に人間が寝ている絵柄のアイコンに変更する。これにより、看護者は、「山田Ａ太朗」の状態を、注意しながら見守ることとなる。
【００４４】
さらに、ベッドの左端に位置していることで注意を持って見守られていた「山田Ａ太朗」に体動が検出された場合、ベッドから落ちる危険があり「警告」が必要となるため、表示制御部２９は、オブジェクトの背景を黄色から赤色に変更すると共に、ベッドの左端に人間が寝ている絵柄のアイコンから、ベッドの左端に人間が体動ありで寝ている絵柄のアイコンに変更する。これにより、看護者は、「山田Ａ太朗」の部屋に出向き、ベッドの左端から中央に就寝位置を戻す等のベッドからの落下を防止するための措置を行う。
【００４５】
このような一覧画面の更新処理をまとめると、演算装置１は、所定の時間毎にセンサ２からの状態情報４１（及び生体情報４２）を取得して、記憶部に蓄積して記憶する。演算装置１は、新たに状態情報４１が取得されると、一つ前に取得された状態情報４１と比較し、在床者の状態の変化（差異）が検出された場合は、一覧画面に表示している、その在床者のオブジェクトの背景及びアイコンを変更表示する。これにより、看護者に対して、一目で在床者の現在の状態を知らせることができる。
【００４６】
（現在及び過去の状態の同時表示機能）
ここで、表示制御部２９は、一覧画面の各在床者のオブジェクトに対して、各在床者の現在及び過去の両方の状態を同時に表示するようになっている。すなわち、取得部２５は、一例として１０分間隔で状態情報４１及び生体情報４２を取得するようになっている。記憶制御部２７は、状態情報４１及び生体情報４２が取得され度に、記憶部に記憶制御する。これにより、記憶部には、現在及び過去の状態情報４１及び生体情報４２が記憶される。各在床者のオブジェクトにおいて、過去の状態情報に対応する色のマーカを含めて表示する。
【００４７】
図９は、図７に示した各在床者のオブジェクトのうち、ＩＤが「１０１−１４」の「下田Ｂ太朗」のオブジェクト、及び、ＩＤが「１０１−１５」の「下田Ｃ太朗」のオブジェクトを抜き出して示した例である。「下田Ｂ太朗」の例において、「太朗」の文字の下に表示されている横長の楕円形状のマーカ５１が、過去（１０分前）の状態を示すマーカ５１である。この「下田Ｂ太朗」の例の場合、赤色（図９では黒の塗りつぶし）のマーカ５１となっている。看護者は、この赤色のマーカ５１により、「下田Ｂ太朗」の１０分前の状態は、「警告」であったことを認識する。しかし、現在は、オブジェクトの背景が黄色（図９では左斜線の背景）であるため、「下田Ｂ太朗」の状態は、「警告」から「注意」へ移行したと、看護者は認識する。
【００４８】
同様に、図９に示す、「下田Ｃ太朗」の例において、「太朗」の文字の下が、横長の楕円形状のマーカ５１の表示領域となっている。すなわち、表示制御部２９は、在床者の氏名の下の領域（又は上の領域でもよい）で、かつ、長手方向が氏名の文字配列方向に一致するように、楕円形状のマーカ５１を表示する。
【００４９】
図９の例では、氏名の文字配列方向が横方向であるため、表示制御部２９は、各在床者のオブジェクトを上下方向よりも左右方向に長くなるように表示すると共に、前記マーカ５１を、前記オブジェクトの左右方向の少なくとも一端の上下方向、又は、前記オブジェクトの上下方向の少なくとも一端の左右方向にマーカ５１を表示する。
【００５０】
「下田Ｃ太朗」の例の場合、現在、赤色（図９では黒の塗りつぶし）の背景となっていり、マーカ５１も赤色のマーカとなっている。看護者は、赤色のマーカ５１により、「下田Ｃ太朗」の１０分前の状態は、「警告」であり、オブジェクトの背景の色により、現在も引き続き、「警告」であると、看護者は認識する。この場合、看護者は、早急に「下田Ｃ太朗」の部屋に出向き、ベッドからの落下を防止するための措置を行う必要がある。
【００５１】
このように各在床者のオブジェクトの背景の色で、在床者の現在の状態を表示し、マーカ５１の色で、在床者の過去の状態を表示することで、看護者は、その在床者の現在の状態と過去の状態の両方を一目で認識することができる。さらに、各在床者の状態は、正常、注意、警告の種類に応じて色分けされている。このため、看護者に対して、より迅速かつ明確に各在床者の現在の状態と過去の状態の両方を知らせることができる。
【００５２】
（マーカの表示形態の第１の変形例）
図１０に、マーカ５１の表示形態の第１の変形例を示す。図１０（ａ）は、表示制御部２９が、長方形状のオブジェクトの各短手辺に沿って２本の線上のマーカ５２を表示する例である。図１０（ｂ）は、表示制御部２９が、長方形状のオブジェクトの下側の長手辺に沿って線上のマーカ５３を表示する例である。図１０（ｃ）は、表示制御部２９が、長方形状のオブジェクトの上側の長手辺に沿って線上のマーカ５４を表示する例である。図１０（ｄ）は、表示制御部２９が、長方形状のオブジェクトの右上に、ＩＤに隣接して、四角形状のマーカ５５を表示する例である。いずれの場合も、表示制御部２９は、過去の状態（正常、注意、警告）に応じた色で、マーカ５２〜５５を表示する。これにより、上述と同じ効果を得ることができる。
【００５３】
（マーカの表示形態の第２の変形例）
また、図１１に、マーカ５１の表示形態の第２の変形例を示す。この図１１は、マーカ５１の外周部（＝縁）を、背景に対して目立つ色で表示した例である。すなわち、背景の色とマーカ５１の色が同じ色となると、マーカ５１を認識しづらくなる。このため、表示制御部２９は、現在、表示している背景の色に対して、目立つ色で縁取ったマーカ５６をオブジェクトに含めて表示する。具体的には、図１１に示す「山田Ｂ太朗」の例は、黄色の背景に黄色のマーカ５６が表示されている例であるが、この際、表示制御部２９は、黄色のマーカ５６の外周部を白色として表示する。
【００５４】
同様に、図１１に示す「海田Ｂ太朗」の例は、赤色の背景に赤色のマーカ５６が表示されている例であるが、この際、表示制御部２９は、赤色のマーカ５６の外周部を白色として表示する。このようにマーカの外周部を目立つ色で表示することで、在床者の過去の状態を認識し易くすることができる。
【００５５】
（警告のアイコンの表示形態）
次に、表示制御部２９は、図７に示す一覧画面を表示する際、在床者の現在の状態が「正常」の場合、例えば「山田Ａ太朗」のオブジェクトで示すように、オブジェクトの背景を白色とし、これに合わせて、アイコンの背景及びアイコンの人間の画像も白色で表示する。また、在床者の現在の状態が「注意」の場合、例えば「下田Ｂ太朗」のオブジェクトで示すように、オブジェクトの背景を黄色とし、これに合わせて、アイコンの背景及びアイコンの人間の画像も黄色で表示する。すなわち、表示制御部２９は、在床者の現在の状態が「正常」及び「注意」の場合は、オブジェクトの背景と同じ色でアイコンの背景及びアイコンの人間の画像を表示する。
【００５６】
これに対して、在床者の現在の状態が「警告」の場合、例えば「海田Ｂ太朗」のオブジェクトで示すように、オブジェクトの背景を赤色とし、これに合わせて、アイコンの背景も赤色で表示するが、アイコンの人間の画像は、アイコンの赤色の背景に対して目立つ色、例えば白色で表示する。これにより、在床者の現在の状態が「警告」の場合、アイコンの表示を、より目立たせることができ、より迅速な対応を促すことができる。
【００５７】
（一覧の表示形態の変更動作）
次に、一覧画面の表示形態の変更について、説明する。実施の形態の表示システムの場合、一覧画面の表示形態を選択的に変更可能となっている。一例ではあるが、実施の形態の表示システムの表示制御部２９は、「在床者の氏名の５０音順」、「緊急度順」、「設定画面で指定した順」及び「カテゴリ順（介護者が指定する介護者の特性順）」のうち、看護者等により選択された表示形態で一覧画面を表示する。
【００５８】
一例として、図１２に「緊急度順」の表示形態の一覧画面を示す。この場合、表示制御部２９は、オブジェクトの背景が赤色の「警告」の在床者のオブジェクトを１行目最上段及び２行目最上段に表示する。換言すると、表示制御部２９は、赤色の背景で示す「警告」の在床者のオブジェクトは、一覧画面の左上（及び左上に近接する位置）に表示する。横書き表示の場合、一覧画面の左上の表示位置は、人間が視認し易い位置である。この人間が視認し易い位置に、緊急度の高い在床者のオブジェクトを表示することで、危険度が高い在床者を、より注意して見守ることができる。
【００５９】
また、「緊急度順」の表示形態の一覧画面の場合、表示制御部２９は、「警告」の在床者のオブジェクトを表示した行の下の行に、次に危険度が高い「注意」の在床者のオブジェクトを表示する。図１２の例の場合、「警告」の在床者が２名存在したため、表示制御部２９は、これらの在床者のオブジェクトを１列目最上段及び２列目最上段に表示し、１列目の２行目、３行目及び２列目２行目、３行目に「注意」の在床者のオブジェクトを表示する。
【００６０】
また、「緊急度順」の表示形態の一覧画面の場合、表示制御部２９は、既述したように表示した「警告」及び「注意」の在床者のオブジェクトの表示領域以外の表示領域に、「正常」の在床者のオブジェクトを表示する。なお、表示制御部２９は、「切断」している在床者（この例の場合「山田Ｄ太朗」）のオブジェクトは、一覧画面の右下に表示する。
【００６１】
なお、この例では、一覧画面の表示形態は、看護者等が選択設定することとしたが、表示制御部２９は、最初５０音順で一覧画面を表示し、各在床者の現在の状態に応じて、「緊急度順」の表示形態に自動的に変更して一覧画面を行ってもよい。
【００６２】
また、図１２に示す一覧画面の表示例は、表示画面が横画面の場合の表示例であるが、例えばタブレット端末装置のように縦画面表示を行う場合、表示制御部２９は、１列目の５行目の「海田Ｃ太朗」の下に、３列目の「川田Ａ太朗」から「下田Ａ太朗」の各オブジェクトを表示し、２列目で５行目の「川田Ｄ太朗」の下に、４列目の「山田Ｃ太朗」から「山田Ｄ太朗」の各オブジェクトを表示する。
【００６３】
図１３は、表示制御部２９がタブレット端末装置に対して在床者の現在の状態の一覧画面を表示した例である。表示制御部２９は、図７に示すような横画面から図１３に示す縦画面に表示形態を変更する場合、図７に示す左半分の１０名の在床者のオブジェクトを表示し、この１０名のオブジェクトに続けて、図７に示す右半分の１０名の在床者のオブジェクトを表示する。また、表示制御部２９は、横画面の左上に表示していた在床者のオブジェクト（この例の場合は、「山田Ａ太朗のオブジェクト」）を、縦画面でも左上の表示位置に表示する。これにより、図７に示す左半分の１０名の在床者のオブジェクトの表示位置を、横画面及び縦画面で同じとすることができ、視認性を向上させることができる。
【００６４】
（詳細情報の表示動作）
図６のフローチャートの説明に戻る。このような一覧画面の表示及び更新を行うと、ステップＳ８に処理が進み、操作検出部３２が、詳細情報の表示操作の有無を判別する。具体的には、看護者等は、各在床者のオブジェクトの一覧画面のうち、所望の在床者のオブジェクトを選択操作することで、詳細情報の表示を指定する。ステップＳ８では、操作検出部３２が、この指定操作の有無を判別する。操作検出部３２により、詳細情報の表示操作が検出されない場合（ステップＳ８：Ｎｏ）、処理はステップＳ３に戻り、一覧画面の表示が継続される。
【００６５】
これに対して、操作検出部３２により、詳細情報の表示操作が検出された場合（ステップＳ８：Ｙｅｓ）、表示制御部２９は、ステップＳ９において、看護者等により指定された在床者の詳細情報を表示する。一例ではあるが、表示制御部２９は、詳細情報の表示画面を表示してから経過した時間をカウントし（ステップＳ１０）、例えば６０秒等の一定時間が経過した際に（タイムアウト）、ステップＳ３に処理を戻し、各在床者の一覧画面を表示する。また、操作検出部３２で、表示されている詳細情報を閉じる操作が検出された場合、表示制御部２９は、表示していた詳細情報を終了し、上述の一覧画面を表示する。
【００６６】
図１４に、詳細情報の表示画面の一例を示す。この図１４に示すように、表示制御部２９は在床者を特定する在床者特定情報の一例である在床者の氏名及びＩＤ、現在及び所定期間における在床者の状態情報である現在及び過去の状態を示すアイコン、及び在床時間は、この詳細情報における在床者の直近状態であり、確認頻度が高いため、画面の左半分の上側（第１の表示領域の一例）に表示する。また、表示制御部２９は、状態情報４１の取得期間よりも長い第２期間における在床者の生体情報４２を、画面の右半分（生体情報表示領域の一例）に表示する。
【００６７】
また、表示制御部２９は、直近状態の表示領域（第１の表示領域）と生体情報４２の表示領域とは、左右方向に同じ幅で表示する。また、表示制御部２９は、上下方向よりも左右方向が長い状態の表示装置３の表示画面に表示を行うとき（横向きの表示）、直近状態の表示領域と生体情報４２の表示領域とを左右方向に並べて表示する。
【００６８】
これに対して、図１７を用いて後述するが、上下方向が左右方向よりも長い状態の表示装置３の表示画面に表示を行うとき（縦向きの表示）、表示制御部２９は、直近状態の表示領域の下に、生体情報の表示領域を並べて表示する。これにより、例えばタブレット端末装置のように横画面から縦画面に変更された場合でも、横画面時の左上のオブジェクトが、縦置き時の左上のオブジェクトとして表示されるため、視認性が向上する。
【００６９】
また、表示制御部２９は、在床者の状態に変化が生じた際に、この変化に応じた「警告」等のアイコンを画面の左半分の上側の領域に表示する。表示制御部２９は、この詳細画面に対して、「正常」、「注意」又は「警告」のアイコンを表示する場合も、一覧画面に表示したアイコンと同じ表示形態のアイコンを表示する。
【００７０】
このように、図５に示したＨＤＤ１４等の記憶部に記憶されている現在の状態情報４１と所定期間（例えば終日又は勤務時間帯等）における生体情報４２とを並列表示することで、現在の状態を確認しつつ、前任者の勤務時間帯における在床者の状態を後任者と確認することができる。また、表示画面の左上から右へ視線を移すことで情報の確認を行うことができ、前任者から後任者へ業務を迅速かつ容易に引継ぎ可能とすることができる。
【００７１】
このような詳細情報の表示画面をさらに詳細に説明する。図１４は、現在、体動がなくベッドの中央に位置している「山田Ａ太朗」の詳細情報の表示画面である。この図１４に示すように、表示制御部２９は、在床者の直近の状態について、詳細情報の表示画面における左側画面に上から表示し、設定項目をその下に表示する。また、在床者の生体情報を画面右半分に表示する。直近の状態の表示領域における一番上に、表示制御部２９は、一覧画面で表示した在床者のオブジェクトを表示する。アイコンと氏名の並び順は、一覧画面のオブジェクトと同じである。一覧画面のオブジェクトの表示形態と、詳細画面の直近の状態に表示された現在の状態の表示形態とを同じとすることで、視認性を向上させることができる。また、表示制御部２９は、アラーム履歴として、在床者の過去の状態を記憶部に記憶されている新旧の状態情報の比較結果に基づいて、より具体的な時間とそのときのアイコン（例えば１０分前の状態を示すアイコン）を表示する。
【００７２】
設定項目として、表示制御部２９は、一覧画面での設定項目等の選択画面を表示する。例えば、在床者が不在の場合にオブジェクトに表示を行うか否か、警告又は注意のいずれでアラームするか等の設定が可能となっている。
【００７３】
生体情報として、表示制御部２９は、過去１０時間の在床者の状態を上段に、過去６０秒間の活動状況を中段に、参考体重及びＢＭＩ（Body  Mass  Index）の情報を下段に表示する。また、表示制御部２９は、は、上段のグラフを表示する際、睡眠状態、覚醒状態、離床状態及び切断状態を色で区別して表示する。
【００７４】
図１５は、現在、ベッドの中央に位置しているが体動が検出されている「山田Ｂ太朗」の詳細情報の表示画面である。この「山田Ｂ太朗」の場合、体動が検出されているため、状態が「注意」の在床者となる。そのため、表示制御部２９は、直近の状態を表示する表示領域における一番上に、黄色の背景のオブジェクトを表示する。
【００７５】
図１６は、現在、ベッドの右端に位置しており体動が検出されている「下田Ｃ太朗」の詳細情報の表示画面である。この「下田Ｃ太朗」の場合、ベッドの右端に位置しているうえ、体動が検出されているため、状態が「警告」の在床者となる。そのため、表示制御部２９は、直近の状態を表示する表示領域における一番上に、赤色の背景のオブジェクトを表示する。
【００７６】
図１７は、表示制御部２９がタブレット端末装置（縦画面）に、「山田Ａ太朗」の詳細情報として、直近の状態、設定項目及び生体情報を表示した例である。直近の状態、設定項目及び生体情報の表示順序は、看護者が指定することで変更可能となっている。図１８は、表示制御部２９が、看護者等の指定に応じて、直近の状態、生体情報及び設定項目の表示順序で縦画面に対して表示した例を示している。
【００７７】
図１５や図１６に示すように、詳細画面の直近の状態の表示領域における一番上に示された在床者の現在の状態表示について、この状態表示の背景全体の色を、在床者の現在の状態に応じて変化させてもよいし、また図１９に示すように、アイコンの色のみを、在床者の現在の状態に応じて変化させてもよい。
【００７８】
図１９は、一覧画面のオブジェクトのアイコンが、過去には在床者がベッドの中央で安静にしていたが、現在、ベッドの中央で体動が見られる場合の詳細画面を示している。この場合、この在床者の状態は「注意」である。この場合、表示制御部２９は、オブジェクトの背景は白色のままで、ベッドの中央に人間が体動ありで寝ているアイコンを表示すると共に、アイコンの色を黄色で表示する。
【００７９】
これにより、表示制御部２９は、在床者の現在の状態が「正常」の場合は、白色でアイコンを表示し、在床者の現在の状態が「注意」又は「警告」に変化した際に、オブジェクトの背景は白色のままで、アイコンの色を黄色又は赤に変更して表示する。このように、詳細画面においては、在床者の現在の状態を表示する表示領域の位置が決まっているので、オブジェクトの背景色は白色のままとし、在床者の現在の状態に応じてアイコンの色を変更して表示するようにしても、看護者に対して、一目で在床者の現在の状態を知らせることができる。
【００８０】
（詳細情報の表示中のアラームに対応した動作）
次に、このような詳細情報の表示中に、他の在床者の状態が「警告」となった場合について、説明する。表示制御部２９は、他の在床者の状態が「警告」となった場合、詳細情報の表示を終了して一覧画面に表示を戻す。そして、表示制御部２９は、この一覧画面において、状態が「警告」となった在床者のオブジェクトを点滅させて表示する。そして、オブジェクトの点滅表示を所定時間行った後に、状態が「警告」となった在床者の詳細情報の表示画面を表示する。さらに、表示制御部２９は、このような詳細情報と共に、状態が「警告」となった在床者を示すポップアップ表示（詳細情報とは独立した表示領域で行う在床者の氏名及び現在の状態等の表示）を行う。これにより、使い勝手が良く、緊急性を考慮した表示システムを提供できる。
【００８１】
なお、この例では、表示中の詳細情報の表示は終了させることとしたが、表示中の詳細情報と共に（表示中の詳細情報に重ねて又は並べて）、状態が「警告」となった在床者の詳細情報を表示してもよい。
【００８２】
（実施の形態の効果）
以上の説明から明らかなように、実施の形態の表示システムは、各在床者のオブジェクトの一覧画面において、各在床者の現在の状態と共に、過去の状態を同時に表示する。これにより、一つのオブジェクトを見るだけで、一目で、在床者の現在の状態と過去の状態の両方を認識することができるため、少ない視線の移動で素早く在床者の状態を確認することができる。
【００８３】
また、在床者の現在の状態をオブジェクトの背景の色で示し、在床者の過去の状態をマーカ５１の色で示しているため、在床者の現在の状態及び過去の状態の両方を、直感的に認識可能とすることができる。
【００８４】
最後に、上述の各実施の形態は、一例として提示したものであり、本発明の範囲を限定することは意図していない。上述の新規な実施の形態は、その他の様々な形態で実施されることが可能であり、発明の要旨を逸脱しない範囲で、種々の省略、置き換え、変更を行うことも可能である。また、実施の形態及び実施の形態の変形例は、発明の範囲や要旨に含まれると共に、特許請求の範囲に記載された発明とその均等の範囲に含まれるものである。
【符号の説明】
【００８５】
１  演算装置
２  センサ
３  表示装置
４  撮像装置
１１  ＣＰＵ
１４  ＨＤＤ
１９  バイタルセンサ
２５  取得部
２６  生体情報取得部
２７  記憶制御部
２８  比較部
２９  表示制御部
３０  判別部
３１  報知制御部
３２  操作検出部
４１  状態情報
４２  生体情報
４３  ユーザ情報
４４  緊急度情報
４５  表示設定情報
【先行技術文献】
【特許文献】
【００８６】
【特許文献１】特開２００８−２８９６７６号公報
【図１】
2019159581.tif 000003
【図２】
2019159581.tif 000004
【図３】
2019159581.tif 000005
【図４】
2019159581.tif 000006
【図５】
2019159581.tif 000007
【図６】
2019159581.tif 000008
【図７】
2019159581.tif 000009
【図８】
2019159581.tif 000010
【図９】
2019159581.tif 000011
【図１０】
2019159581.tif 000012
【図１１】
2019159581.tif 000013
【図１２】
2019159581.tif 000014
【図１３】
2019159581.tif 000015
【図１４】
2019159581.tif 000016
【図１５】
2019159581.tif 000017
【図１６】
2019159581.tif 000018
【図１７】
2019159581.tif 000019
【図１８】
2019159581.tif 000020
【図１９】
2019159581.tif 000021